(57)【要約】      （修正有）【課題】二次側配管内の水を抜いた後、常態に戻すために二次側配管内を再充填する際、二次側配管内に空気溜まり発生がない湿式スプリンクラーシステム及びその使用方法を提供する。【解決手段】消火用水槽１２から送水ポンプ１４を介して上方階に立ち上がって配管された一次側配管１６と、各階で分岐され消火放水を行うためのスプリンクラーヘッド２４まで配管された二次側配管２２と、各階の二次側配管２２の末端部に末端試験弁２６と、各階の二次側配管２２の基端部に制御弁１８と、各階の二次側配管２２の末端試験弁２６と制御弁１８との間に排水弁３２を介してそれぞれ連通接続された接続管３０が接続された第１の排水管３４と、第２の排水管２６と、を有し、制御弁１８を閉状態、末端試験弁２６及び排水弁３２を開状態とすることで二次側配管２２内の水を排水でき、第１の排水管３４を任意に負圧状態とすることが可能な真空ポンプ４４を有する。【選択図】図１
2017169843.tif 000002
【特許請求の範囲】
【請求項１】
消火用水槽から送水ポンプを介して上方階に立ち上がって配管された一次側配管と、
該一次側配管から各階で分岐され消火放水を行うためのスプリンクラーヘッドまで配管された二次側配管と、
各階の前記二次側配管の末端部にそれぞれ設置され任意に開閉可能な末端開閉弁と、
前記一次側配管から分岐された各階の前記二次側配管の基端部にそれぞれ設置され任意に開閉可能な基端開閉弁と、
各階の前記二次側配管の前記末端開閉弁と前記基端開閉弁との間に排水弁を介してそれぞれ連通接続された接続管が接続された第１の排水管と、
各階の前記末端開閉弁に接続された第２の排水管と、を有し、
前記基端開閉弁を閉状態、前記末端開閉弁及び前記排水弁を開状態とすることで前記二次側配管内の水を排水できる湿式スプリンクラーシステムにおいて、
前記第１の排水管を任意に負圧状態とすることが可能な吸引手段を有することを特徴とする湿式スプリンクラーシステム。
【請求項２】
前記吸引手段は、真空ポンプであり、該真空ポンプの入口側に定流量弁が設けられたことを特徴とする請求項１に記載の湿式スプリンクラーシステム。
【請求項３】
請求項１又は２に記載の湿式スプリンクラーシステムの使用方法であって、
前記基端開閉弁を閉状態、前記末端開閉弁及び前記排水弁を開状態として二次側配管内の水を抜く水抜き工程と、
該水抜き工程の後、前記末端開閉弁を閉状態、前記排水弁を開状態として前記吸引手段により前記第１の排水管内を負圧状態とすることで、これに連通する前記二次側配管内を同じく負圧状態とする負圧工程と、
該負圧工程による負圧状態を維持しつつ、前記排水弁を閉状態、前記基端開閉弁を開状態として、前記送水ポンプにより前記二次側配管内に水を充填する水充填工程と、を有することを特徴とする湿式スプリンクラーシステムの使用方法。
【発明の詳細な説明】
【技術分野】
【０００１】
本発明は、湿式スプリンクラーシステム及びその使用方法、特に、二次側配管内の水を抜き、その後に常態に戻すため二次側配管内を水で充填する際に、二次側配管内に空気溜まりが発生しない湿式スプリンクラーシステム及びその使用方法に関する。
【背景技術】
【０００２】
スプリンクラーシステムは、常態で二次側配管内に水が充填されるか否かで湿式と乾式に分かれ、寒冷地では二次側配管内の水が凍結するため乾式が用いられるが、湿式スプリンクラーシステムが主流となっている。その中でもスプリンクラーヘッドの誤作動等による水損の問題を解決した真空湿式スプリンクラーシステムが注目されている（特許文献１参照）。
【０００３】
湿式スプリンクラーシステムにおいて、定期点検等の作業を行う場合、スプリンクラーヘッドを交換する場合、又は二次側配管を延長してスプリンクラーヘッドを増設する場合等には、二次側配管内の水を排水する必要がある。
【０００４】
図２は、従来の湿式スプリンクラーシステムの概略構成図である。簡単のため５階建て建物で、各階に８基のスプリンクラーヘッドが設置してある場合について示している。システムを簡単に説明すると、地下の消火用水槽１２に蓄えられた水は、送水ポンプ１４、一次側配管１６、二次側配管の基端開閉弁である制御弁１８、流水検知装置２０、二次側配管２２、スプリンクラーヘッド２４を経由して放水される。一次側配管１６は、消火用水槽１２から水を汲み上げ送水する送水ポンプ１４を介して各階に立ち上がって配管されている。二次側配管２２は、各階で一次側配管１６から連通して分岐され、各階の天井に略並行に伸長した後に更に連通して分岐され、鉛直方向に垂下した立ち下げ配管２２ｂを形成している。その立ち下げ配管２２ｂの先端部に、各階の天井部から露出した状態でスプリンクラーヘッド２４が取り付けられている。
【０００５】
消火用水槽１２から第１の排水管３４が立ち上がって配管され、各階で排水管３４から連通分岐した接続管３０が、各階において排水弁３２を介して二次側配管２２に接続されている。接続管３０の二次側配管２２への接続高さ位置は、スプリンクラーヘッド２４の放水面の高さ位置よりも低い位置である。
【０００６】
また、消火用水槽１２から第２の排水管３６が立ち上がって配管され、各階で二次側配管の末端開閉弁である末端試験弁２６を介して二次側配管２２に連通接続されている。第２の排水管３６の上部には逆止弁４１が取り付けられており、ここから空気を取り入れることができる。
【０００７】
所定の階の二次側配管２２内の水を抜く場合、先ず制御弁１８を閉状態とする。その後、末端試験弁２６と排水弁３２を開状態とする。これにより、二次側配管２２内の水は、一部は第２の排水管３６を介して、大部分は第１の排水管３４を介して排出される。第２の排水管３４の上部に設置された逆止弁４１から空気が入り込み、重力の作用により二次側配管２２内の水の排水が可能である。
【０００８】
なお、火災発生時は、スプリンクラーヘッド２４が作動して二次側配管２２内の水が放出される。二次側配管２２内の水が放出されると一次側配管に取り付けられた圧力スイッチ（図示していない）が圧力低下を検知して、図示していない制御盤に信号を送り、その信号を受けて送水ポンプ１４が稼働されるように構成されている。また、一次側配管１６からに二次側配管２２に連続して水が流れると流水検知装置２０がその流水を検知して消火活動中である警報を発する。
【先行技術文献】
【特許文献】
【０００９】
【特許文献１】特許第３２６４９３９号公報
【発明の開示】
【発明が解決しようとする課題】
【００１０】
点検等の作業のため二次側配管２２内の水を抜いた後、システムを常態に戻すため二次側配管２２内を再び水で充填する必要がある。この時、二次側配管２２内に空気溜まりが発生していると、その空気溜まりは充填された水により圧縮され二次側配管２２内に高圧空気として残留することとなる。すなわち、二次側配管２２への水の充填は、制御弁１８と末端試験弁２６を開け、排水弁３２を閉じた状態で、送水ポンプ１４を運転して行うので、二次側配管２２内の空気は末端試験弁２６より抜けていく。末端試験弁２６から水が出てきたら送水ポンプ１４を止め末端試験弁２６を閉状態とする。しかし、二次側配管２２が複雑に分岐し、枝別れが多数ある場合は、枝分かれした二次側配管内の空気は抜けずに空気溜まりを形成する。そこに水が充填されると、空気溜まり（残留空気）は圧縮されて高圧残留空気となり、二次側配管２２内に残ることとなる。
【００１１】
二次側配管２２内に圧縮された空気溜まりが存在すると、その空気溜まり内の酸素が水に溶け込んで溶存酸素濃度が上がり、マクロセル現象により二次側配管２２にピンホールを形成し、そこから水漏れを起こすことが問題になっている。
【００１２】
したがって、湿式スプリンクラーシステムにおいて、二次側配管２２内に水を充填する際には、二次側配管２２内に空気溜まりが発生しないようにすることが重要である。これまで湿式スプリンクラーシステムにおいて、二次側配管２２内に水を充填する際に空気溜まりの問題を解消した構成の湿式スプリンクラーシステムについては開示されていない。
【００１３】
一方、二次側配管内の水を負圧状態に維持し、スプリンクラーヘッドが誤動作してもスプリンクラーヘッドから水が放出されず水損を防止することができる真空湿式スプリンクラーシステム（特許文献１）においては、二次側配管側に負圧状態維持手段が設けられている。この負圧状態維持手段を用いることにより、二次側配管内の水を負圧状態とすることができる。
【００１４】
真空湿式スプリンクラーシステムにおいても、点検等の作業のため二次側配管内の水を抜くことがあり、常態に戻すために二次側配管内に水を充填する作業が必要である。しかし、真空湿式スプリンクラーシステムにおいては、この負圧状態維持手段を用いて、二次側配管に内に水を充填する際に、二次側配管内を吸引して二次側配管内の空気を抜くことが可能である。したがって、真空湿式スプリンクラーシステムにおいては、上述した問題は発生しない。
【００１５】
本発明は、上記課題に鑑みてなされたものであり、その目的は、湿式スプリンクラーシステムにおいて、点検等の作業のために二次側配管内の水を抜いた後、常態に戻すために再び二次側配管内を水で充填する際、二次側配管内に空気溜まりの発生することがない湿式スプリンクラーシステム及びその使用方法を提供することにある。
【課題を解決するための手段】
【００１６】
上記目的を達成するため、請求項１に記載の湿式プリンクラーシステムは、消火用水槽から送水ポンプを介して上方階に立ち上がって配管された一次側配管と、該一次側配管から各階で分岐され消火放水を行うためのスプリンクラーヘッドまで配管された二次側配管と、各階の前記二次側配管の末端部にそれぞれ設置され任意に開閉可能な末端開閉弁と、前記一次側配管から分岐された各階の前記二次側配管の基端部にそれぞれ設置され任意に開閉可能な基端開閉弁と、各階の前記二次側配管の前記末端開閉弁と前記基端開閉弁との間に排水弁を介してそれぞれ連通接続された接続管が接続された第１の排水管と、各階の前記末端開閉弁に接続された第２の排水管と、を有し、前記基端開閉弁を閉状態、前記末端開閉弁及び前記排水弁を開状態とすることで前記二次側配管内の水を排水できる湿式スプリンクラーシステムにおいて、
前記第１の排水管を任意に負圧状態とすることが可能な吸引手段を有することを特徴とする。
【００１７】
この構成により、上述の点検等の作業が終了しシステムを常態に戻すために二次側配管内を水で充填するとき、末端開閉弁を閉状態、排水弁を開状態として吸引手段を稼働することにより第１の排水管内を負圧状態とすることができ、これに連通する二次側配管内も負圧状態とすることができる。したがって、分岐した二次側配管内に残留した空気（空気溜まり）を排除することができる。この二次側配管内の負圧状態で水の充填が行われることで、二次側配管内に高圧残留空気が発生することが防止され、溶存酸素によるマクロセル現象で二次側配管にピンホールが発生することを防止することが可能である。  
【００１８】
請求項２に記載の湿式スプリンクラーシステムは、
請求項１に記載の湿式スプリンクラーシステムにおいて、前記吸引手段は、真空ポンプであり、該真空ポンプの入口側に定流量弁が設けられたことを特徴とする。この構成により、真空ポンプは最大負荷以上の過負荷状態で運転されることが防止される。したがって、真空ポンプは長期間に亘って使用することができ請求項１の作用を長期間に亘って発揮することが可能である。
【００１９】
上記目的を達成するため、請求項３に記載の湿式プリンクラーシステムの使用方法は、請求項１又は２に記載の湿式スプリンクラーシステムの使用方法であって、
前記基端開閉弁を閉状態、前記末端開閉弁及び前記排水弁を開状態として二次側配管内の水を抜く水抜き工程と、該水抜き工程の後、前記末端開閉弁を閉状態、前記排水弁を開状態として前記吸引手段により前記第１の排水管内を負圧状態とすることで、これに連通する前記二次側配管内を同じく負圧状態とする負圧工程と、該負圧工程による負圧状態を維持しつつ、前記排水弁を閉状態、前記基端開閉弁を開状態として、前記送水ポンプにより前記二次側配管内に水を充填する水充填工程と、を有することを特徴とする。
【００２０】
この方法により、点検等の作業が終了しシステムを常態に戻すために二次側配管内を水で充填するとき、負圧工程により第１の排水管内を負圧状態とすることで、これに連通する前記二次側配管内を同じく負圧状態とすることができる。したがって、二次側配管が複雑に分岐していても、水充填工程により水を充填した際に二次側配管内に空気溜まりが発生することが効果的に防止され、マクロセル現象によるピンホールの形成が良好に防止される。
【発明の効果】
【００２１】
本発明の湿式スプリンクラーシステムによれば、二次側配管内へ水の充填の際に二次側配管内での高圧残留空気の発生が防止されるので、二次側配管内の充填した水の溶存酸素濃度が高まることはなくマクロセル現象によるピンホールの発生を効果的に防止することが可能である。したがって、長期間に亘って信頼性の高い湿式スプリンクラーシステムを提供することができる。
【図面の簡単な説明】
【００２２】
【図１】本発明の湿式スプリンクラーシステムの概略構成図である。
【図２】従来の湿式スプリンクラーシステムの概略構成図である。
【発明を実施するための形態】
【００２３】
本発明の実施の形態を、以下図面を参照しながら詳述する。図１は、本発明の湿式スプリンクラーシステムの概略構成図である。簡単のため５階建て建物で、各階に８基のスプリンクラーヘッドが設置してある場合について示している。本実施の形態の湿式スプリンクラーシステム１０は、図２に示した湿式スプリンクラーシステム１１と比べると、二次側配管２２内の水を排水する第１の排水管３４に吸引手段である真空ポンプ４４が取り付けられている点だけが異なる。したがって、図２と同一の構成要素には同じ符号を付し説明は省略する。
【００２４】
第１の排水管３４は、消火用水槽１２の近傍で分岐管４０が連通接続されている。真空ポンプ４４は、その分岐管４０に接続されている。第１の排水管３４の分岐管４０が連通接続された下方には逆止弁４２が取り付けられている。第１の排水管３４を流下する水は逆止弁４２を介してストレートに消火用水槽１２に流入するようになっている。
【００２５】
この真空ポンプは、気体のみならず液体をも排出可能に構成されたもので、例えば、ドイツ国Speck Pumpen Vakuumtechnik GmbH 社から入手可能である（欧州特許番号EP1518055）。この真空ポンプは、吸引・排出する流体に水等の液体が混ざった高負荷の状態においても長時間使用可能な実用的なポンプである。
【００２６】
点検作業等が必要な所定階の二次側配管２２内の水を抜く手順について説明する、その階の制御弁１８を閉じ、二次側配管２２の末端部に取り付けられた末端試験弁２６を開ける。そして、排水弁３４を開状態とすると、その階の二次側配管２２内の水は重力の作用により排水管３４を通り、逆止弁４２を介して消火用水槽１２に流れ出る。
【００２７】
二次側配管２２内の水を抜いた後、スプリンクラーヘッドの点検等、所定の作業を終え、システムを常態に戻す手順について説明する。システムを常態に戻すとは、水を抜いた二次側配管２２内に再び水を、送水ポンプ１４を作動して充填させ、火災発生に備えて何時でも水がスプリンクラーヘッド２４から放水できるスタンバイ状態を意味する。水を充填する前に、制御弁１８及び末端試験弁２６を閉状態、排水弁３２を開状態とし、真空ポンプ４４を稼働して第１の排水管３４内及び二次側配管２２内を吸引、排出（真空引き）する。これにより、第１の排水管３４内及び二次側配管２２内は負圧状態となり、空気溜まり（残留空気）を効果的に排除することができる。すなわち、二次側配管２２が平面上複雑に分岐し、枝分かれした二次側配管２２が多くある場合でも、二次側配管２２内の残留空気を排除することが可能である。その後、排水弁３２を閉状態、制御弁１８を開状態とし、送水ポンプ１４を運転して水を二次側配管２２に充填する。この充填は、二次側配管２２が負圧状態となっているので、容易に行うことが可能である。
【００２８】
したがって、二次側配管２２内には高圧残留空気が発生しないので、高圧残留空気の酸素が二次側配管２２内の水に溶け込むことはなく、マクロセル現象によるピンホールの形成も発生することがない。
【００２９】
また、本実施の形態では、真空ポンプ４４の入り口側には定流量弁４６が取り付けられている。真空ポンプ４４は実用的に高負荷に耐え得るものの、定流量弁４６により定格以上の流量の水が真空ポンプ４４に入り過負荷にならないように構成している。これにより、長期間に亘り真空ポンプ４４を使用することを可能にしている。
【００３０】
本実施の形態の湿式スプリンクラーシステム及びその使用方法によれば、第１の排水管内及び二次側配管内を吸引する真空ポンプを取り付けたので、二次側配管に水を充填する際に、二次側配管内に高圧残留空気が発生することが効果的に防止される。これにより、二次側配管内の水の溶存酸素濃度が高まることはなく、これに由来するマクロセル現象により二次側配管内にピンホールが形成されることはない。したがって、長期に亘り信頼性の高い湿式スプリンクラーシステムを提供することができる。
【００３１】
なお、本発明は、上述の実施の形態に限定されるものではなく、本発明の要旨を逸脱しない範囲で種々の変更が可能である。例えば、実施の形態では、通常の湿式スプリンクラーシステムについて示したが、火災感知器を設置した予作動式の湿式スプリンクラーシステムであっても良い。
【符号の説明】
【００３２】
１０、１１  湿式スプリンクラーシステム
１２  消火用水槽
１４  送水ポンプ
１６  一次側配管
１８  制御弁（基端開閉弁）
２０  流水検知装置
２２  二次側配管
２４  スプリンクラーヘッド
２６  末端試験弁（末端開閉弁）
３０  接続管
３２  排水弁
３４  第１の排水管
３６  第２の排水管
４１、４２  逆止弁
４４  真空ポンプ
４６  定流量弁
【図１】
2017169843.tif 000003
【図２】
2017169843.tif 000004
【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
消火用水槽から送水ポンプを介して上方階に立ち上がって配管された一次側配管と、
該一次側配管から各階で分岐され消火放水を行うためのスプリンクラーヘッドまで配管された二次側配管と、
各階の前記二次側配管の末端部にそれぞれ設置され任意に開閉可能な末端開閉弁と、
前記一次側配管から分岐された各階の前記二次側配管の基端部にそれぞれ設置され任意に開閉可能な基端開閉弁と、
各階の前記二次側配管の前記末端開閉弁と前記基端開閉弁との間に排水弁を介してそれぞれ連通接続された接続管が接続された第１の排水管と、
各階の前記末端開閉弁に接続された第２の排水管と、
前記第１の排水管を任意に負圧状態とすることが可能な吸引手段と、を有する湿式スプリンクラーシステムの二次側配管内への水充填方法において、
前記基端開閉弁を閉状態、前記末端開閉弁及び前記排水弁を開状態として二次側配管内の水を抜く水抜き工程と、
該水抜き工程の後、前記末端開閉弁を閉状態、前記排水弁を開状態として前記吸引手段により前記第１の排水管内を負圧状態とすることで、これに連通する前記二次側配管内を同じく負圧状態とする負圧工程と、
該負圧工程による負圧状態を維持しつつ、前記排水弁を閉状態、前記基端開閉弁を開状態として、前記送水ポンプにより前記二次側配管内に水を充填する水充填工程と、
を有することを特徴とする湿式スプリンクラーシステムの二次側配管内への水充填方法。
【手続補正２】
【補正対象書類名】明細書
【補正対象項目名】全文
【補正方法】変更
【補正の内容】
【発明の詳細な説明】
【技術分野】
【０００１】
本発明は、湿式スプリンクラーシステムの二次側配管内への水充填方法、特に、二次側配管内の水を抜き、その後に常態に戻すため二次側配管内を水で充填する際に、二次側配管内に空気溜まりが発生しない湿式スプリンクラーシステムの二次側配管内への水充填方法に関する。
【背景技術】
【０００２】
スプリンクラーシステムは、常態で二次側配管内に水が充填されるか否かで湿式と乾式に分かれ、寒冷地では二次側配管内の水が凍結するため乾式が用いられるが、湿式スプリンクラーシステムが主流となっている。その中でもスプリンクラーヘッドの誤作動等による水損の問題を解決した真空湿式スプリンクラーシステムが注目されている（特許文献１参照）。
【０００３】
湿式スプリンクラーシステムにおいて、定期点検等の作業を行う場合、スプリンクラーヘッドを交換する場合、又は二次側配管を延長してスプリンクラーヘッドを増設する場合等には、二次側配管内の水を排水する必要がある。
【０００４】
図２は、従来の湿式スプリンクラーシステムの概略構成図である。簡単のため５階建て建物で、各階に８基のスプリンクラーヘッドが設置してある場合について示している。システムを簡単に説明すると、地下の消火用水槽１２に蓄えられた水は、送水ポンプ１４、一次側配管１６、二次側配管の基端開閉弁である制御弁１８、流水検知装置２０、二次側配管２２、スプリンクラーヘッド２４を経由して放水される。一次側配管１６は、消火用水槽１２から水を汲み上げ送水する送水ポンプ１４を介して各階に立ち上がって配管されている。二次側配管２２は、各階で一次側配管１６から連通して分岐され、各階の天井に略並行に伸長した後に更に連通して分岐され、鉛直方向に垂下した立ち下げ配管２２ｂを形成している。その立ち下げ配管２２ｂの先端部に、各階の天井部から露出した状態でスプリンクラーヘッド２４が取り付けられている。
【０００５】
消火用水槽１２から第１の排水管３４が立ち上がって配管され、各階で排水管３４から連通分岐した接続管３０が、各階において排水弁３２を介して二次側配管２２に接続されている。接続管３０の二次側配管２２への接続高さ位置は、スプリンクラーヘッド２４の放水面の高さ位置よりも低い位置である。
【０００６】
また、消火用水槽１２から第２の排水管３６が立ち上がって配管され、各階で二次側配管の末端開閉弁である末端試験弁２６を介して二次側配管２２に連通接続されている。第２の排水管３６の上部には逆止弁４１が取り付けられており、ここから空気を取り入れることができる。
【０００７】
所定の階の二次側配管２２内の水を抜く場合、先ず制御弁１８を閉状態とする。その後、末端試験弁２６と排水弁３２を開状態とする。これにより、二次側配管２２内の水は、一部は第２の排水管３６を介して、大部分は第１の排水管３４を介して排出される。第２の排水管３４の上部に設置された逆止弁４１から空気が入り込み、重力の作用により二次側配管２２内の水の排水が可能である。
【０００８】
なお、火災発生時は、スプリンクラーヘッド２４が作動して二次側配管２２内の水が放出される。二次側配管２２内の水が放出されると一次側配管に取り付けられた圧力スイッチ（図示していない）が圧力低下を検知して、図示していない制御盤に信号を送り、その信号を受けて送水ポンプ１４が稼働されるように構成されている。また、一次側配管１６からに二次側配管２２に連続して水が流れると流水検知装置２０がその流水を検知して消火活動中である警報を発する。
【先行技術文献】
【特許文献】
【０００９】
【特許文献１】特許第３２６４９３９号公報
【発明の開示】
【発明が解決しようとする課題】
【００１０】
点検等の作業のため二次側配管２２内の水を抜いた後、システムを常態に戻すため二次側配管２２内を再び水で充填する必要がある。この時、二次側配管２２内に空気溜まりが発生していると、その空気溜まりは充填された水により圧縮され二次側配管２２内に高圧空気として残留することとなる。すなわち、二次側配管２２への水の充填は、制御弁１８と末端試験弁２６を開け、排水弁３２を閉じた状態で、送水ポンプ１４を運転して行うので、二次側配管２２内の空気は末端試験弁２６より抜けていく。末端試験弁２６から水が出てきたら送水ポンプ１４を止め末端試験弁２６を閉状態とする。しかし、二次側配管２２が複雑に分岐し、枝別れが多数ある場合は、枝分かれした二次側配管内の空気は抜けずに空気溜まりを形成する。そこに水が充填されると、空気溜まり（残留空気）は圧縮されて高圧残留空気となり、二次側配管２２内に残ることとなる。
【００１１】
二次側配管２２内に圧縮された空気溜まりが存在すると、その空気溜まり内の酸素が水に溶け込んで溶存酸素濃度が上がり、マクロセル現象により二次側配管２２にピンホールを形成し、そこから水漏れを起こすことが問題になっている。
【００１２】
したがって、湿式スプリンクラーシステムにおいて、二次側配管２２内に水を充填する際には、二次側配管２２内に空気溜まりが発生しないようにすることが重要である。これまで湿式スプリンクラーシステムにおいて、二次側配管２２内に水を充填する際に空気溜まりの問題を解消した構成の湿式スプリンクラーシステムについては開示されていない。
【００１３】
一方、二次側配管内の水を負圧状態に維持し、スプリンクラーヘッドが誤動作してもスプリンクラーヘッドから水が放出されず水損を防止することができる真空湿式スプリンクラーシステム（特許文献１）においては、二次側配管側に負圧状態維持手段が設けられている。この負圧状態維持手段を用いることにより、二次側配管内の水を負圧状態とすることができる。
【００１４】
真空湿式スプリンクラーシステムにおいても、点検等の作業のため二次側配管内の水を抜くことがあり、常態に戻すために二次側配管内に水を充填する作業が必要である。しかし、真空湿式スプリンクラーシステムにおいては、この負圧状態維持手段を用いて、二次側配管に内に水を充填する際に、二次側配管内を吸引して二次側配管内の空気を抜くことが可能である。したがって、真空湿式スプリンクラーシステムにおいては、上述した問題は発生しない。
【００１５】
本発明は、上記課題に鑑みてなされたものであり、その目的は、湿式スプリンクラーシステムにおいて、点検等の作業のために二次側配管内の水を抜いた後、常態に戻すために再び二次側配管内を水で充填する際、二次側配管内に空気溜まりの発生することがない湿式スプリンクラーシステムの二次側配管内への水充填方法を提供することにある。
【課題を解決するための手段】
【００１６】
上記目的を達成するため、請求項１に記載の湿式プリンクラーシステムの二次側配管内への水充填方法は、
消火用水槽から送水ポンプを介して上方階に立ち上がって配管された一次側配管と、該一次側配管から各階で分岐され消火放水を行うためのスプリンクラーヘッドまで配管された二次側配管と、各階の前記二次側配管の末端部にそれぞれ設置され任意に開閉可能な末端開閉弁と、前記一次側配管から分岐された各階の前記二次側配管の基端部にそれぞれ設置され任意に開閉可能な基端開閉弁と、各階の前記二次側配管の前記末端開閉弁と前記基端開閉弁との間に排水弁を介してそれぞれ連通接続された接続管が接続された第１の排水管と、各階の前記末端開閉弁に接続された第２の排水管と、前記第１の排水管を任意に負圧状態とすることが可能な吸引手段と、を有する湿式スプリンクラーシステムの二次側配管内への水充填方法において、
前記基端開閉弁を閉状態、前記末端開閉弁及び前記排水弁を開状態として二次側配管内の水を抜く水抜き工程と、該水抜き工程の後、前記末端開閉弁を閉状態、前記排水弁を開状態として前記吸引手段により前記第１の排水管内を負圧状態とすることで、これに連通する前記二次側配管内を同じく負圧状態とする負圧工程と、該負圧工程による負圧状態を維持しつつ、前記排水弁を閉状態、前記基端開閉弁を開状態として、前記送水ポンプにより前記二次側配管内に水を充填する水充填工程と、を有することを特徴とする。
【００１７】
この方法により、点検等の作業が終了しシステムを常態に戻すために二次側配管内を水で充填するとき、負圧工程により第１の排水管内を負圧状態とすることで、これに連通する前記二次側配管内を同じく負圧状態とすることができる。したがって、二次側配管が複雑に分岐していても、水充填工程により水を充填した際に二次側配管内に空気溜まりが発生することが効果的に防止され、マクロセル現象によるピンホールの形成が良好に防止される。
【発明の効果】
【００１８】
本発明の湿式スプリンクラーシステムの二次側配管内への水充填方法によれば、二次側配管内へ水の充填の際に二次側配管内での高圧残留空気の発生が防止されるので、二次側配管内の充填した水の溶存酸素濃度が高まることはなくマクロセル現象によるピンホールの発生を効果的に防止することが可能である。したがって、長期間に亘って信頼性の高い湿式スプリンクラーシステムを提供することができる。
【図面の簡単な説明】
【００１９】
【図１】本発明の湿式スプリンクラーシステムの二次側配管内への水充填方法に係り、システムの概略構成図である。
【図２】従来の湿式スプリンクラーシステムの概略構成図である。
【発明を実施するための形態】
【００２０】
本発明の実施の形態を、以下図面を参照しながら詳述する。図１は、本発明の湿式スプリンクラーシステムの二次側配管内への水充填方法に係り、システムの概略構成図である。簡単のため５階建て建物で、各階に８基のスプリンクラーヘッドが設置してある場合について示している。本実施の形態の湿式スプリンクラーシステム１０は、図２に示した湿式スプリンクラーシステム１１と比べると、二次側配管２２内の水を排水する第１の排水管３４に吸引手段である真空ポンプ４４が取り付けられている点だけが異なる。したがって、図２と同一の構成要素には同じ符号を付し説明は省略する。
【００２１】
第１の排水管３４は、消火用水槽１２の近傍で分岐管４０が連通接続されている。真空ポンプ４４は、その分岐管４０に接続されている。第１の排水管３４の分岐管４０が連通接続された下方には逆止弁４２が取り付けられている。第１の排水管３４を流下する水は逆止弁４２を介してストレートに消火用水槽１２に流入するようになっている。
【００２２】
この真空ポンプは、気体のみならず液体をも排出可能に構成されたもので、例えば、ドイツ国Speck Pumpen Vakuumtechnik GmbH 社から入手可能である（欧州特許番号EP1518055）。この真空ポンプは、吸引・排出する流体に水等の液体が混ざった高負荷の状態においても長時間使用可能な実用的なポンプである。
【００２３】
点検作業等が必要な所定階の二次側配管２２内の水を抜く手順について説明する、その階の制御弁１８を閉じ、二次側配管２２の末端部に取り付けられた末端試験弁２６を開ける。そして、排水弁３４を開状態とすると、その階の二次側配管２２内の水は重力の作用により排水管３４を通り、逆止弁４２を介して消火用水槽１２に流れ出る。
【００２４】
二次側配管２２内の水を抜いた後、スプリンクラーヘッドの点検等、所定の作業を終え、システムを常態に戻す手順について説明する。システムを常態に戻すとは、水を抜いた二次側配管２２内に再び水を、送水ポンプ１４を作動して充填させ、火災発生に備えて何時でも水がスプリンクラーヘッド２４から放水できるスタンバイ状態を意味する。水を充填する前に、制御弁１８及び末端試験弁２６を閉状態、排水弁３２を開状態とし、真空ポンプ４４を稼働して第１の排水管３４内及び二次側配管２２内を吸引、排出（真空引き）する。これにより、第１の排水管３４内及び二次側配管２２内は負圧状態となり、空気溜まり（残留空気）を効果的に排除することができる。すなわち、二次側配管２２が平面上複雑に分岐し、枝分かれした二次側配管２２が多くある場合でも、二次側配管２２内の残留空気を排除することが可能である。その後、排水弁３２を閉状態、制御弁１８を開状態とし、送水ポンプ１４を運転して水を二次側配管２２に充填する。この充填は、二次側配管２２が負圧状態となっているので、容易に行うことが可能である。
【００２５】
したがって、二次側配管２２内には高圧残留空気が発生しないので、高圧残留空気の酸素が二次側配管２２内の水に溶け込むことはなく、マクロセル現象によるピンホールの形成も発生することがない。
【００２６】
また、本実施の形態では、真空ポンプ４４の入り口側には定流量弁４６が取り付けられている。真空ポンプ４４は実用的に高負荷に耐え得るものの、定流量弁４６により定格以上の流量の水が真空ポンプ４４に入り過負荷にならないように構成している。これにより、長期間に亘り真空ポンプ４４を使用することを可能にしている。
【００２７】
本実施の形態の湿式スプリンクラーシステムの二次側配管内への水充填方法によれば、第１の排水管内及び二次側配管内を吸引する真空ポンプを取り付けたので、二次側配管に水を充填する際に、二次側配管内に高圧残留空気が発生することが効果的に防止される。これにより、二次側配管内の水の溶存酸素濃度が高まることはなく、これに由来するマクロセル現象により二次側配管内にピンホールが形成されることはない。したがって、長期に亘り信頼性の高い湿式スプリンクラーシステムを提供することができる。
【００２８】
なお、本発明は、上述の実施の形態に限定されるものではなく、本発明の要旨を逸脱しない範囲で種々の変更が可能である。例えば、実施の形態では、通常の湿式スプリンクラーシステムについて示したが、火災感知器を設置した予作動式の湿式スプリンクラーシステムであっても良い。
【符号の説明】
【００２９】
１０、１１  湿式スプリンクラーシステム
１２  消火用水槽
１４  送水ポンプ
１６  一次側配管
１８  制御弁（基端開閉弁）
２０  流水検知装置
２２  二次側配管
２４  スプリンクラーヘッド
２６  末端試験弁（末端開閉弁）
３０  接続管
３２  排水弁
３４  第１の排水管
３６  第２の排水管
４１、４２  逆止弁
４４  真空ポンプ
４６  定流量弁  
【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
消火用水槽から送水ポンプを介して上方階に立ち上がって配管された一次側配管と、
該一次側配管から各階で分岐され、消火放水を行うためのスプリンクラーヘッドが配置された二次側配管と、
各階の前記二次側配管の末端部にそれぞれ設置され任意に開閉可能な末端開閉弁と、
前記一次側配管から分岐された各階の前記二次側配管の基端部にそれぞれ設置され任意に開閉可能な基端開閉弁と、
前記末端開閉弁と前記基端開閉弁との間で各階の前記二次側配管に任意に開閉可能な排水弁を介してそれぞれ連通接続された接続管と、
前記各階の接続管が連通接続され、下端部が前記消火用水槽への排水口とされた第１の排水管と、
前記各階の末端開閉弁に接続され、上端部が空気取り入れ口及び下端部が前記消火用水槽への排水口とされた第２の排水管と、
前記第１の排水管内を任意に負圧状態とし、前記排水弁を開状態とすることで前記二次側配管内も負圧状態とすることが可能な吸引手段と、
を有する湿式スプリンクラーシステムの二次側配管における水排出及び水充填方法において、
前記基端開閉弁を閉状態、前記末端開閉弁及び前記排水弁を開状態として前記二次側配管内の水を抜く水排出工程と、
該水排出工程の後、前記基端開閉弁及び前記末端開閉弁を閉状態、前記排水弁を開状態として前記吸引手段により前記第１の排水管内を負圧状態とすることで前記二次側配管内を同じく負圧状態とする負圧工程と、
該負圧工程の終了時に、前記排水弁を閉状態、前記基端開閉弁を開状態として、前記二次側配管内の負圧状態を維持しつつ、前記送水ポンプにより前記基端開閉弁を介して前記二次側配管内に水を充填する水充填工程と、
を有することを特徴とする湿式スプリンクラーシステムの二次側配管における水排出及び水充填方法。
【手続補正２】
【補正対象書類名】明細書
【補正対象項目名】全文
【補正方法】変更
【補正の内容】
【発明の詳細な説明】
【技術分野】
【０００１】
本発明は、湿式スプリンクラーシステムの二次側配管における水排出及び水充填方法、特に、二次側配管内の水を抜き、その後に常態に戻すため二次側配管内を水で充填する際に、二次側配管内に空気溜まりが発生しない湿式スプリンクラーシステムの二次側配管における水排出及び水充填方法に関する。
【背景技術】
【０００２】
スプリンクラーシステムは、常態で二次側配管内に水が充填されるか否かで湿式と乾式に分かれ、寒冷地では二次側配管内の水が凍結するため乾式が用いられるが、湿式スプリンクラーシステムが主流となっている。その中でもスプリンクラーヘッドの誤作動等による水損の問題を解決した真空湿式スプリンクラーシステムが注目されている（特許文献１参照）。
【０００３】
湿式スプリンクラーシステムにおいて、定期点検等の作業を行う場合、スプリンクラーヘッドを交換する場合、又は二次側配管を延長してスプリンクラーヘッドを増設する場合等には、二次側配管内の水を排水する必要がある。
【０００４】
図２は、従来の湿式スプリンクラーシステムの概略構成図である。簡単のため５階建て建物で、各階に８基のスプリンクラーヘッドが設置してある場合について示している。システムを簡単に説明すると、地下の消火用水槽１２に蓄えられた水は、送水ポンプ１４、一次側配管１６、二次側配管の基端開閉弁である制御弁１８、流水検知装置２０、二次側配管２２、スプリンクラーヘッド２４を経由して放水される。一次側配管１６は、消火用水槽１２から水を汲み上げ送水する送水ポンプ１４を介して各階に立ち上がって配管されている。二次側配管２２は、各階で一次側配管１６から連通して分岐され、各階の天井に略並行に伸長した後に更に連通して分岐され、鉛直方向に垂下した立ち下げ配管２２ｂを形成している。その立ち下げ配管２２ｂの先端部に、各階の天井部から露出した状態でスプリンクラーヘッド２４が取り付けられている。
【０００５】
消火用水槽１２から第１の排水管３４が立ち上がって配管され、各階で排水管３４から連通分岐した接続管３０が、各階において排水弁３２を介して二次側配管２２に接続されている。接続管３０の二次側配管２２への接続高さ位置は、スプリンクラーヘッド２４の放水面の高さ位置よりも低い位置である。
【０００６】
また、消火用水槽１２から第２の排水管３６が立ち上がって配管され、各階で二次側配管の末端開閉弁である末端試験弁２６を介して二次側配管２２に連通接続されている。第２の排水管３６の上部には逆止弁４１が取り付けられており、ここから空気を取り入れることができる。
【０００７】
所定の階の二次側配管２２内の水を抜く場合、先ず制御弁１８を閉状態とする。その後、末端試験弁２６と排水弁３２を開状態とする。これにより、二次側配管２２内の水は、一部は第２の排水管３６を介して、大部分は第１の排水管３４を介して排出される。第２の排水管３４の上部に設置された逆止弁４１から空気が入り込み、重力の作用により二次側配管２２内の水の排水が可能である。
【０００８】
なお、火災発生時は、スプリンクラーヘッド２４が作動して二次側配管２２内の水が放出される。二次側配管２２内の水が放出されると一次側配管１６に取り付けられた圧力スイッチ（図示していない）が圧力低下を検知して、図示していない制御盤に信号を送り、その信号を受けて送水ポンプ１４が稼働されるように構成されている。また、一次側配管１６から二次側配管２２に連続して水が流れると流水検知装置２０がその流水を検知して消火活動中である警報を発する。
【先行技術文献】
【特許文献】
【０００９】
【特許文献１】特許第３２６４９３９号公報
【発明の開示】
【発明が解決しようとする課題】
【００１０】
点検等の作業のため二次側配管２２内の水を抜いた後、システムを常態に戻すため二次側配管２２内を再び水で充填する必要がある。この時、二次側配管２２内に空気溜まりが発生していると、その空気溜まりは充填された水により圧縮され二次側配管２２内に高圧空気として残留することとなる。すなわち、二次側配管２２への水の充填は、制御弁１８と末端試験弁２６を開け、排水弁３２を閉じた状態で、送水ポンプ１４を運転して行うので、二次側配管２２内の空気は末端試験弁２６より抜けていく。末端試験弁２６から水が出てきたら送水ポンプ１４を止め末端試験弁２６を閉状態とする。しかし、二次側配管２２が複雑に分岐し、枝別れが多数ある場合は、枝分かれした二次側配管内の空気は抜けずに空気溜まりを形成する。そこに水が充填されると、空気溜まり（残留空気）は圧縮されて高圧残留空気となり、二次側配管２２内に残ることとなる。
【００１１】
二次側配管２２内に圧縮された空気溜まりが存在すると、その空気溜まり内の酸素が水に溶け込んで溶存酸素濃度が上がり、マクロセル現象により二次側配管２２にピンホールを形成し、そこから水漏れを起こすことが問題になっている。
【００１２】
したがって、湿式スプリンクラーシステムにおいて、二次側配管２２内に水を充填する際には、二次側配管２２内に空気溜まりが発生しないようにすることが重要である。これまで湿式スプリンクラーシステムにおいて、二次側配管２２内に水を充填する際に空気溜まりの問題を解消した構成の湿式スプリンクラーシステムについては開示されていない。
【００１３】
一方、二次側配管内の水を負圧状態に維持し、スプリンクラーヘッドが誤動作してもスプリンクラーヘッドから水が放出されず水損を防止することができる真空湿式スプリンクラーシステム（特許文献１）においては、二次側配管側に負圧状態維持手段が設けられている。この負圧状態維持手段を用いることにより、二次側配管内の水を負圧状態とすることができる。
【００１４】
真空湿式スプリンクラーシステムにおいても、点検等の作業のため二次側配管内の水を抜くことがあり、常態に戻すために二次側配管内に水を充填する作業が必要である。しかし、真空湿式スプリンクラーシステムにおいては、この負圧状態維持手段を用いて、二次側配管に内に水を充填する際に、二次側配管内を吸引して二次側配管内の空気を抜くことが可能である。したがって、真空湿式スプリンクラーシステムにおいては、上述した問題は発生しない。
【００１５】
本発明は、上記課題に鑑みてなされたものであり、その目的は、湿式スプリンクラーシステムにおいて、点検等の作業のために二次側配管内の水を抜いた後、常態に戻すために再び二次側配管内を水で充填する際、二次側配管内に空気溜まりの発生することがない湿式スプリンクラーシステムの二次側配管内への水充填方法を提供することにある。
【課題を解決するための手段】
【００１６】
上記目的を達成するため、請求項１に記載の湿式プリンクラーシステムの二次側配管における水排出及び水充填方法は、
消火用水槽から送水ポンプを介して上方階に立ち上がって配管された一次側配管と、該一次側配管から各階で分岐され、消火放水を行うためのスプリンクラーヘッドが配置された二次側配管と、各階の前記二次側配管の末端部にそれぞれ設置され任意に開閉可能な末端開閉弁と、前記一次側配管から分岐された各階の前記二次側配管の基端部にそれぞれ設置され任意に開閉可能な基端開閉弁と、前記末端開閉弁と前記基端開閉弁との間で各階の前記二次側配管に任意に開閉可能な排水弁を介してそれぞれ連通接続された接続管と、前記各階の接続管が連通接続され、下端部が前記消火用水槽への排水口とされた第１の排水管と、前記各階の末端開閉弁に接続され、上端部が空気取り入れ口及び下端部が前記消火用水槽への排水口とされた第２の排水管と、前記第１の排水管内を任意に負圧状態とし、前記排水弁を開状態とすることで前記二次側配管内も負圧状態とすることが可能な吸引手段と、を有する湿式スプリンクラーシステムの二次側配管における水排出及び水充填方法において、
前記基端開閉弁を閉状態、前記末端開閉弁及び前記排水弁を開状態として前記二次側配管内の水を抜く水排出工程と、該水排出工程の後、前記基端開閉弁及び前記末端開閉弁を閉状態、前記排水弁を開状態として前記吸引手段により前記第１の排水管内を負圧状態とすることで前記二次側配管内を同じく負圧状態とする負圧工程と、該負圧工程の終了時に、前記排水弁を閉状態、前記基端開閉弁を開状態として、前記二次側配管内の負圧状態を維持しつつ、前記送水ポンプにより前記基端開閉弁を介して前記二次側配管内に水を充填する水充填工程と、を有することを特徴とする。
【００１７】
この方法により、点検等の作業が終了しシステムを常態に戻すために二次側配管内を水で充填するとき、負圧工程により第１の排水管内を負圧状態とすることで、これに連通する前記二次側配管内を同じく負圧状態とすることができる。したがって、二次側配管が複雑に分岐していても、水充填工程により水を充填した際に二次側配管内に空気溜まりが発生することが効果的に防止され、マクロセル現象によるピンホールの形成が良好に防止される。
【発明の効果】
【００１８】
本発明の湿式スプリンクラーシステムの二次側配管における水排出及び水充填方法によれば、二次側配管内へ水の充填の際に二次側配管内での高圧残留空気の発生が防止されるので、二次側配管内の充填した水の溶存酸素濃度が高まることはなくマクロセル現象によるピンホールの発生を効果的に防止することが可能である。したがって、長期間に亘って信頼性の高い湿式スプリンクラーシステムを提供することができる。
【図面の簡単な説明】
【００１９】
【図１】本発明の湿式スプリンクラーシステムの二次側配管における水排出及び水充填方法に係り、システムの概略構成図である。
【図２】従来の湿式スプリンクラーシステムの概略構成図である。
【発明を実施するための形態】
【００２０】
本発明の実施の形態を、以下図面を参照しながら詳述する。図１は、本発明の湿式スプリンクラーシステムの二次側配管における水排出及び水充填方法に係り、システムの概略構成図である。簡単のため５階建て建物で、各階に８基のスプリンクラーヘッドが設置してある場合について示している。本実施の形態の湿式スプリンクラーシステム１０は、図２に示した湿式スプリンクラーシステム１１と比べると、二次側配管２２内の水を排水する第１の排水管３４に吸引手段である真空ポンプ４４が取り付けられている点だけが異なる。したがって、図２と同一の構成要素には同じ符号を付し説明は省略する。
【００２１】
第１の排水管３４は、消火用水槽１２の近傍で分岐管４０が連通接続されている。真空ポンプ４４は、その分岐管４０に接続されている。第１の排水管３４の分岐管４０が連通接続された下方には逆止弁４２が取り付けられている。第１の排水管３４を流下する水は逆止弁４２を介してストレートに消火用水槽１２に流入するようになっている。
【００２２】
この真空ポンプは、気体のみならず液体をも排出可能に構成されたもので、例えば、ドイツ国Speck Pumpen Vakuumtechnik GmbH 社から入手可能である（欧州特許番号EP1518055）。この真空ポンプは、吸引・排出する流体に水等の液体が混ざった高負荷の状態においても長時間使用可能な実用的なポンプである。
【００２３】
点検作業等が必要な所定階の二次側配管２２内の水を抜く手順について説明する、その階の制御弁１８を閉じ、二次側配管２２の末端部に取り付けられた末端試験弁２６を開ける。そして、排水弁３４を開状態とすると、その階の二次側配管２２内の水は重力の作用により排水管３４を通り、逆止弁４２を介して消火用水槽１２に流れ出る。
【００２４】
二次側配管２２内の水を抜いた後、スプリンクラーヘッドの点検等、所定の作業を終え、システムを常態に戻す手順について説明する。システムを常態に戻すとは、水を抜いた二次側配管２２内に再び水を、送水ポンプ１４を作動して充填させ、火災発生に備えて何時でも水がスプリンクラーヘッド２４から放水できるスタンバイ状態を意味する。水を充填する前に、制御弁１８及び末端試験弁２６を閉状態、排水弁３２を開状態とし、真空ポンプ４４を稼働して第１の排水管３４内及び二次側配管２２内を吸引、排出（真空引き）する。これにより、第１の排水管３４内及び二次側配管２２内は負圧状態となり、空気溜まり（残留空気）を効果的に排除することができる。すなわち、二次側配管２２が平面上複雑に分岐し、枝分かれした二次側配管２２が多くある場合でも、二次側配管２２内の残留空気を排除することが可能である。その後、排水弁３２を閉状態、制御弁１８を開状態とし、送水ポンプ１４を運転して水を二次側配管２２に充填する。この充填は、二次側配管２２が負圧状態となっているので、容易に行うことが可能である。
【００２５】
したがって、二次側配管２２内には高圧残留空気が発生しないので、高圧残留空気の酸素が二次側配管２２内の水に溶け込むことはなく、マクロセル現象によるピンホールの形成も発生することがない。
【００２６】
また、本実施の形態では、真空ポンプ４４の入り口側には定流量弁４６が取り付けられている。真空ポンプ４４は実用的に高負荷に耐え得るものの、定流量弁４６により定格以上の流量の水が真空ポンプ４４に入り過負荷にならないように構成している。これにより、長期間に亘り真空ポンプ４４を使用することを可能にしている。
【００２７】
本実施の形態の湿式スプリンクラーシステムの二次側配管における水排出及び水充填方法によれば、第１の排水管内及び二次側配管内を吸引する真空ポンプを取り付けたので、二次側配管に水を充填する際に、二次側配管内に高圧残留空気が発生することが効果的に防止される。これにより、二次側配管内の水の溶存酸素濃度が高まることはなく、これに由来するマクロセル現象により二次側配管内にピンホールが形成されることはない。したがって、長期に亘り信頼性の高い湿式スプリンクラーシステムを提供することができる。
【００２８】
なお、本発明は、上述の実施の形態に限定されるものではなく、本発明の要旨を逸脱しない範囲で種々の変更が可能である。例えば、実施の形態では、通常の湿式スプリンクラーシステムについて示したが、火災感知器を設置した予作動式の湿式スプリンクラーシステムであっても良い。
【符号の説明】
【００２９】
１０、１１  湿式スプリンクラーシステム
１２  消火用水槽
１４  送水ポンプ
１６  一次側配管
１８  制御弁（基端開閉弁）
２０  流水検知装置
２２  二次側配管
２４  スプリンクラーヘッド
２６  末端試験弁（末端開閉弁）
３０  接続管
３２  排水弁
３４  第１の排水管
３６  第２の排水管
４１、４２  逆止弁
４４  真空ポンプ
４６  定流量弁